(57)【要約】【課題】検出された扉の開閉に関する情報の保持が確実で、信頼性の高い装置を提供する。【解決手段】開閉センサー１により遊技機の前面扉の開閉が検出されて所定の検出の出力信号が出力される、カウンタ回路２によりその出力が係数されると共に、開閉信号ラッチ回路３によりラッチされて検出状態が保持され、さらには、表示回路４により所定の表示が視認可能になされる一方、解除コード入力回路５を介して解除コードが入力されると、比較・解除信号発生回路７により、解除コード記憶回路６に記憶、保持されている所定の解除コードと一致したものか否かが比較、判定され、一致しているとされると、解除信号が出力され、カウンタ回路２及び開閉信号ラッチ回路３が初期状態に戻されるようになっている。【選択図】図１
2009273778.tif 000002
【特許請求の範囲】
【請求項１】
遊技機の扉の開閉を検出するセンサーを有し、当該センサーにより前記扉の開放が検出された際に、当該検出状態を保持、記憶すると共に、当該扉の開放が検出されたことに対応する所定の信号を出力可能に構成されてなる遊技機用扉開閉検出装置であって、
前記検出状態の保持、記憶を解除するためのコードの外部からの入力を可能に構成されてなる解除コード入力回路と、
前記解除コード入力回路を介して入力されたコードが予め設定された所定の解除コードと一致する場合に、前記検出状態の保持、記憶を解除するよう構成されてなる比較・解除信号発生回路とを具備してなると共に、前記遊技機の電源とは別に、遊技機用扉開閉検出装置の動作確保を可能とする電源が設けられてなることを特徴とする遊技機用扉開閉検出装置。
【請求項２】
前記扉の開放が検出された際に、当該扉の開放が検出されたことに対応する所定の表示を視認可能に行うよう構成されてなる表示回路を具備してなることを特徴とする請求項１記載の遊技機用扉開閉検出装置。
【請求項３】
前記扉の開放が検出されたことに対応する所定の信号は、論理信号レベルの信号であることを特徴とする請求項１又は請求項２記載の遊技機用扉開閉検出装置。
【請求項４】
前記扉の開放が検出されたことに対応する所定の信号は、継電器の接点の開閉である接点信号であることを特徴とする請求項１、請求項２、請求項３いずれか記載の遊技機用扉開閉検出装置。
【発明の詳細な説明】
【技術分野】
【０００１】
本発明は、遊技機用の扉開閉検出装置に係り、特に、信頼性の向上等を図ったものに関する。
【背景技術】
【０００２】
従来、遊技機としてのパチンコ機や回胴式遊技機（パチスロ機）には、遊技機の前面盤及び裏面盤に電子回路基板が実装されており、そのトラブルやメンテナンスに対応するために、前面扉が開放可能な構成となっている。
かかる開放状態は、通常、遊技機最前面に配された透明板のみを開放可能として遊技機盤面上でのトラブルのみに対応できる開放状態と、遊技機盤面を含んだ状態で前面扉を開放可能として遊技機盤面裏に装着された電子回路等に対する作業を行えるようにした開放状態の２つの形態がある。
【０００３】
ところで、遊技機に対して行われる不正行為の大半は、前面扉を開放して行われるため、従来から前面扉の開放を検出するための種々の方法が提案されており、例えば、特許文献１には、フォトカップラ回路、マルチバイブレータ回路及びフリップフロップ回路等を用いて前面扉の開閉を検出可能とした装置であって、遊技機からの主電源供給を受けると共に、これとは別個に設けられた副電源による電源供給によって、遊技機の主電源がオフの場合にあっても、前面扉の開閉検出を可能としたものが開示されている。
【０００４】
【特許文献１】特開２００７−２６０４５０号公報（第５−４２頁、図１−図５８）
【発明の開示】
【発明が解決しようとする課題】
【０００５】
しかしながら、特許文献１等に開示されたような従来装置にあっては、検出された前面扉の開放に関する情報（信号）の解除、リセットが容易であったり、検出情報の最終処理、すなわち、例えば、視認可能な文字表示等の処理には、別個にコンピュータ装置などを必要とし、使い勝手が良くない等の問題があった。
【０００６】
本発明は、上記実状に鑑みてなされたもので、検出された扉の開閉に関する情報の保持性が確実で、装置動作の信頼性が高く、しかも、検出された情報の使用者に対する報知等の処理に別個の装置を必要とすることのない遊技機用扉開閉検出装置を提供するものである。
【課題を解決するための手段】
【０００７】
上記本発明の目的を達成するため、本発明に係る遊技機用扉開閉検出装置は、
遊技機の扉の開閉を検出するセンサーを有し、当該センサーにより前記扉の開放が検出された際に、当該検出状態を保持、記憶すると共に、当該扉の開放が検出されたことに対応する所定の信号を出力可能に構成されてなる遊技機用扉開閉検出装置であって、
前記検出状態の保持、記憶を解除するためのコードの外部からの入力を可能に構成されてなる解除コード入力回路と、
前記解除コード入力回路を介して入力されたコードが予め設定された所定の解除コードと一致する場合に、前記検出状態の保持、記憶を解除するよう構成されてなる比較・解除信号発生回路とを具備してなると共に、前記遊技機の電源とは別に、遊技機用扉開閉検出装置の動作確保を可能とする電源が設けられてなるものである。
【発明の効果】
【０００８】
本発明によれば、遊技機の電源のオン・オフに関係なく遊技機の前面扉の開閉が検出でき、前面扉の開放が検出された際には、正しい所定の解除コードが入力されない限り、その検出情報が記憶、保持されるため、従来と異なり、扉の開放に関する情報の保持が確実に行われ、信頼性の高い遊技機用扉開閉検出装置を提供することができるという効果を奏するものである。
また、前面扉の開放が検出された際に、その検出を視認可能に表示する回路を設けることにより、従来と異なり、報知のため他の装置に依存する必要が無く、利便性の高い遊技機用扉開閉検出装置を提供することができる。
【発明を実施するための最良の形態】
【０００９】
以下、本発明の実施の形態について、図を参照しつつ説明する。
なお、以下に説明する部材、配置等は本発明を限定するものではなく、本発明の趣旨の範囲内で種々改変することができるものである。
最初に、本発明の実施の形態における遊技機用扉開閉検出装置の構成例について、図１を参照しつつ説明する。
本発明の実施の形態における遊技機用扉開閉検出装置は、開閉センサー１と、カウンタ回路２と、開閉信号ラッチ回路３と、表示回路４と、解除コード入力回路５と、比較・解除信号発生回路７と、解除コード記憶回路６とを主たる構成要素として構成されてなるものである。
【００１０】
開閉センサー１は、図示されない遊技機の前面扉の開閉を検出し、その開閉に応じた検出信号を出力するものであり、具体的には、例えば、マイクロスイッチやフォトインタラプタのようなものを用いることができるが、これらのものに限定される必要はない。
なお、検出信号は、マイクロスイッチを用いた場合には、その機械的接点の状態に応じたものとなる。また、前面扉（図示せず）が開いた場合に、マイクロスイッチの接点を開成状態とするか、又は、閉成状態とするかは、任意に定められるべきものであり、いずれかに限定される必要はないものである。さらに、開閉センサー１としてフォトインタラプタを用いた場合には、前面扉（図示せず）の開閉に応じて予め設定された所定レベルの電気的信号が検出信号として出力されることとなる。
【００１１】
カウンタ回路２は、開閉センサー１から前面扉（図示せず）の開放が検出されたことに対応する所定の検出信号が出力された際、すなわち、換言すれば、開閉センサー１の出力が前面扉（図示せず）が閉じられている状態に対応する状態から開放された状態に対応する状態に遷移した場合に、それを計数（カウント）し、その計数値（カウント値）を後述する表示回路４へ出力するよう構成されてなるものである。
かかるカウンタ回路２は、後述する比較・解除信号発生回路７から所定の期間出力される解除信号がリセット端子RESETへ入力されることで、上述の計数値が初期値、例えば、零に初期化されるようになっている。
【００１２】
開閉信号ラッチ回路３は、開閉センサー１により前面扉（図示せず）の開放が検出されたことに対応する所定の検出信号が入力されると、その信号をラッチし、前面扉（図示せず）の開放を知らしめる所定の論理信号レベルの開閉通知信号を、通知信号出力端子１２に出力するよう構成されてなるものである。なお、ここで、開閉通知信号の電気的レベルや信号形式は、特定のものに限定される必要はなく、任意に選定されるべきものである。
【００１３】
また、上述の通知信号出力端子１２に出力される開閉通知信号によって、継電器８の開閉接点９が予め設定された開成状態、又は、閉成状態とされるようになっており、その開閉成の状態は、開閉信号端子１３ａ，１３ｂにおいて接点信号として得られるようになっている。
そして、かかる開閉信号ラッチ回路３は、後述する比較・解除信号発生回路７から所定の期間出力される解除信号がリセット端子RESETへ入力されることで、上述のラッチ状態が解除され初期状態に設定されるように構成されたものとなっている。
【００１４】
表示回路４は、先のカウンタ回路２からカウント値が入力されると、これを図示されない表示素子に、使用者が視認できるよう表示を行うよう構成されてなるものである。なお、表示素子は、例えば、液晶表示素子等が好適である。
解除コード入力回路５は、次述する比較・解除信号発生回路７に解除信号を発生、出力させるための解除コードの入力処理を行うと共に、その入力された解除コードを比較・解除信号発生回路７へ対して所定の信号形式で出力するよう構成されてなるものである。
【００１５】
このような解除コード入力回路５として、具体的には、例えば、暗証番号をＢＣＤスイッチ等の入力手段により入力する公知・周知の回路が一般的であるが、この他に、近年種々の装置が提案されている指紋、声紋、瞳孔等の生体情報に基づく生体認証回路などを用いるようにしても好適である。
【００１６】
比較・解除信号発生回路７は、解除コード入力回路５から入力された解除コードが、予め設定され、解除コード記憶回路６に記憶、保持されている所定の解除コードと一致するか否かの比較を行うと共に、一致が検出された場合に、先のカウンタ回路２及び開閉信号ラッチ回路３に対して解除信号を発生、出力するよう構成されてなるものである。この解除信号は、一定時間の間出力されるものである。
【００１７】
解除コード記憶回路６は、予め定められた所定の解除コードが記憶された不揮発性メモリを用いて構成されてなるもので、遊技機全体の電源供給及びこの遊技機用扉開閉検出装置の電源供給が断たれた状態にあっても、所定の解除コードの記憶、保持が可能となっているものである。
【００１８】
本発明の実施の形態における遊技機用扉開閉検出装置は、専用の電源（以下「検出装置専用電源」と称する）１０を有しており、その電圧ＶＣＣ１は、遊技機用扉開閉検出装置の最低限の動作確保に必要な回路、すなわち、少なくとも開閉センサー１、カウンタ回路２、開閉信号ラッチ回路３、解除コード入力回路５、解除コード記憶回路６、比較・解除信号発生回路７に供給されるようになっている。
【００１９】
一方、表示回路４及び継電器８の電源供給は、本発明の実施の形態における遊技機用扉開閉検出装置の消費電力の低減の観点から、外部電源入力端子１１を介して図示されない遊技機の電源から電圧ＶＣＣ２が供給されるようになっているが、勿論、検出装置専用電源１０から供給するようにしても良い。
なお、外部電源入力端子１１と検出装置専用電源１０の正極端子の間には、ダイオード２１及び抵抗器２２が、外部電源入力端子１１側からダイオード２１、抵抗器２２の順で、かつ、外部電源入力端子１１側にダイオード２１のアノードが位置するように直列接続されて設けられている。
【００２０】
次に、上記構成における動作について説明する。
まず、図示されない遊技機の前面扉が正常に閉じられた状態にあって、遊技機の図示されない電源投入スイッチがオンとされて、遊技機が動作開始状態とされた際に、カウンタ回路２及び開閉信号ラッチ回路３は、初期化された状態にあるとする。
かかる状態にあって、開閉センサー１の出力は、前面扉が閉じられている状態に対応する所定の状態となっており、したがって、カウンタ回路２による計数動作は行われず、また、開閉信号ラッチ回路３におけるラッチ動作もなされないため、通知信号出力端子１２には、前面扉（図示せず）の開放を知らしめる所定レベルの開閉通知信号の出力が無い状態となる。また、同様に、開閉信号端子１３ａ，１３ｂにおいても、前面扉（図示せず）の開放を知らしめる所定の接点信号の出力は無い状態となる。
【００２１】
かかる前提の下、遊技機動作中、又は、遊技機の電源投入スイッチがオフとされて遊技機が非動作状態とされた状態にあって、前面扉（図示せず）が開放されたとする。
この前面扉（図示せず）の開放により、開閉センサー１からは、前面扉（図示せず）の開放が検出されたことに対応する所定の検出信号が出力され、カウンタ回路２及び開閉信号ラッチ回路３へ入力されることとなる。
【００２２】
カウンタ回路２においては、開閉センサー１から前面扉（図示せず）の開放が検出されたことに対応する所定の検出信号が入力されることにより、その入力が計数され、計数値が表示回路４へ出力されて、表示回路４において計数値の表示がなされる。
一方、開閉信号ラッチ回路３においては、開閉センサー１から前面扉（図示せず）の開放が検出されたことに対応する所定の検出信号が入力されると、その入力信号がラッチされ、前面扉（図示せず）の開放を知らしめる所定レベルの開閉通知信号が通知信号出力端子１２に出力されると共に、この開閉通知信号の出力により、継電器８が動作し、その開閉接点９が前面扉（図示せず）の開放に対応する予め定められた開成状態又は閉成状態となり、開閉信号端子１３ａ，１３ｂにおいて接点信号として得られることとなる。
【００２３】
遊技機の管理者は、表示回路４の計数表示を視認することで、前面扉（図示せず）の開放を知ることができる。
通知信号出力端子１２や開閉信号端子１３ａ，１３ｂに得られる信号は、例えば、警報装置等の始動に利用することで、警報音の発生や警告灯の点灯などが行えるようにし、管理者が遊技機の近くに居ない場合等に前面扉（図示せず）の開放を周辺の関係者に知らしめることができ、前面扉（図示せず）の不法な開放である場合に、管理者等の関係者による即座の対応を可能とすることができる。
【００２４】
一方、開閉センサー１による前面扉（図示せず）の開放が検出された後に、解除コード入力回路５に解除コードが入力されると、比較・解除信号発生回路７により、その入力された解除コードが予め設定されている所定の解除コードに一致するか否かが比較、判定され、一致していると判定された場合には、解除信号が出力され、カウンタ回路２及び開閉信号ラッチ回路３が初期状態に戻される共に、表示回路４も初期表示の状態、すなわち、前面扉（図示せず）の開放が検出されていない場合の所定の表示状態とされることとなる。
【００２５】
ここで、仮に、解除コード入力回路５に本来の所定の解除コードとは異なる解除コードが入力された場合には、比較・解除信号発生回路７からは解除信号が出力されず、このため、例えば、解除コードを知らない者等がランダムなコードの入力を行っても、開閉信号ラッチ回路３からの前面扉（図示せず）の開放を知らしめる所定レベルの開閉通知信号の出力状態を解除することはできず、前面扉（図示せず）の開放に関する検出情報の保持が確実になされるものとなっている。
【図面の簡単な説明】
【００２６】
【図１】本発明の実施の形態における遊技機用扉開閉検出装置の構成例を示す構成図である。
【符号の説明】
【００２７】
１…開閉センサー
２…カウンタ回路
３…開閉信号ラッチ回路
４…表示回路
５…解除コード入力回路
６…解除コード記憶回路
７…比較・解除信号発生回路
【図１】
2009273778.tif 000003